(57)【要約】【課題】本来、ブックカバーは本の表紙に対しての保護をする物で、頁の保護や保持を目的としていない。そこで本発明では、頁を保護しつつ保持する事によって、あらゆる体勢の読書に対応し、寝ながらでも読書をする事が出来る機能を持つブックカバーを提供する。【解決手段】ブックカバーに取り付けた本の、読んでいる頁を透明シートで被う事により頁の保護及び保持をする事によってあらゆる体勢の読書に対応出来るブックカバーである。又、ブックカバーに取り付けた紐に指を通す事により、安定した読書が出来るブックカバーである。【選択図】図１
2014162077.tif 000002
【特許請求の範囲】
【請求項１】
本に取り付けたブックカバーで、読んでいる頁を「透明シート」で被う事により頁を保持しつつ本自体を保護する事が出来る為、あらゆる姿勢の読書に対応するブックカバー。
このブックカバーに取り組んだ経緯は、知り合いの一言「本を読みたくても本を開いた途端に眠くなってしまうのよ」です。
例え眠たくなったとしても、１頁でも数行でも良いから読みたいとの読書願望を叶えたいとネットで書見台から探し始めブックカバーも探してみても中々思った物が見つからない。
で、手作りしてみたら具合がいいので、これを特許で検索してみると未だないので製作に取り組みました。
又、手放しで本を読む事が出来る為、ストレッチ体操をしながらでも読書をする事が出来る。
【請求項２】
ブックカバーに「本を持つ手、指を通す紐」を付け、その紐に指を通したり、引掛けたりする事により、手の疲れを為難くし安定した読書をする事が出来るブックカバー。
手にしびれや不自由を感じる人が読書をするにあたって、手に対しての負担を軽減する為に本を持つ手、指を通す紐９を取り付ける事により、それに指を通したり、引掛けたり、絡めたりする事によって手に優しい読書が出来る。
読書中に睡魔に襲われて、手の意識も遠のき、本を落としてしまう。
仰向けで本を読んでいる時に急に睡魔に襲われると本が顔に落ちて来る。
それを本を持つ手、指を通す紐９に手を装着する事によって、指や手と腕の意識が同時になくなるので、顔の上に本が降って来る事を最小限に抑える事が出来る。
【発明の詳細な説明】
【技術分野】
【０００１】
本発明は、寝ながらでも読書が出来るブックカバーに関する。
【背景技術】
【０００２】
従来のブックカバーには読みたい頁を保持する事が出来ない。
本を落としても、保護して皺や破損等から守ってくれるブックカバーはない。
寝ながら本を読む事が出来るブックカバーもない。
【先行技術文献】
【特許文献】
【０００３】
【特許文献１】特開２００８−６６４７号  公報
【特許文献２】特開２００４−３５８８１６号  公報
【特許文献３】登録実用新案第３０２２４５０号  公報
【特許文献４】登録実用新案第３１５４４１４号  公報
【特許文献５】特開２００９−１１３３０７号  公報
【発明の概要】
【発明が解決しようとする課題】
【０００４】
本来、ブックカバーは本の表紙に対しての保護をする物で、頁の保護や保持を目的としていない。
増して、寝ながらの読書を目的としたブックカバーもない。
【０００５】
そこで本発明では、頁を保護しつつ保持する事によって寝ながらでも読書をする事が出来る機能を持つブックカバーの提供する事を課題とする。
【課題を解決するための手段】
【０００６】
上記の課題を解決するために、第１発明は、請求項１の「透明シート」を左右の頁に１枚ずつ設ける事によって、自然に本が閉じてしまったりせずにしっかりと保持する事が出来るブックカバーである。
又、本を落としてしまったとしても皺が出来たり、破れたり等の破損を最小限に防ぎ、保護する事が出来るブックカバーである。
【０００７】
第２発明は、請求項２の本に備え付けた「持ち手、指を通す紐」に、手及び指を紐に通したり、紐に引掛けたりする事によって本の落下を防いだり、疲れにくくする事が出来るブックカバーである。
【発明の効果】
【０００８】
本発明のブックカバーを用いて読書するにあたって、読んでいる頁が保持される。
本を落としてしまったとしても、破損を最小限に防ぎ、保護する事が出来る。
【０００９】
ブックカバー外側に備え付けた紐に手、指を通す事により、落下を防ぎ、疲れにくく安定した読書が出来る。
座位、立位、仰向け、うつ伏せ、横臥状態等、どの様な状態においてでも快適に読書をする事が出来る。
【００１０】
左右２枚ある透明シートは、片面でも課題を解決出来、好きな方を使用する事が出来る。
又、寝ながら読書をする時には、眠気の度合いにより、左右両面を装着する事によって、より効果を発揮する事が出来る。
【図面の簡単な説明】
【００１１】
【図１】図aは、ブックカバーに本を装着し仰向けに寝ながら本を読んでいる図、図bは、図aを上から見た図、及び座位にて手で持って読んでいる図である。
【図２】図aは内側から見たブックカバーの展開図、図bは外側から見たブックカバーの展開図である。
【図３】図aは内側から見た、透明シートの片面を装着した図、図bは外側から見た、透明シートの片面を装着した図である。
【図４】図aは金属板にブックカバーを貼り付け、壁のフックへ吊り下げた図、図bは冷蔵庫にブックカバーを貼り付けて、吊るした図である。
【図５】壁際に布団を敷き、金属板にブックカバーを取り付け壁のフックへ吊り下げ、横臥状態で寝ながら本を読んでいる図である。
【図６】布団の脇にフック付きスタンドを立て、金属板に取り付けたブックカバーを吊り下げた図である。
【発明を実施するための形態】
【００１２】
この発明の第１実施形態を、図１aに示す。
本１にブックカバー２を装着し、透明シート３で読んでいる本の頁を被い包み、磁石４へ金属板５を接着する事によって、頁の捲れを気にせずに仰向けになって寝ながらでも本１を読む事が出来る。
【００１３】
この発明の第１実施形態のブックカバー２へ本１を取り付ける手順を説明する。
１…表紙、裏表紙挿入カバー６へ本１の表紙、裏表紙を挿入する。
２…本１の中央の頁辺りを開き、本１の中央（のど）を結ぶ紐穴７の上下から通した紐８を本１の中央（のど）で交差してブックカバー２外側で結ぶ。
３…本１の読む頁を開き、左右どちらか操作が楽な方の透明シート３を上部（天）から垂らして頁を被い、それを本１の下部(地)でブックカバー２外側へ折り返し、透明シート３下部の金属板５を磁石４へ接着する。
操作が煩わしいもう片方は頁を被わずに磁石４へ接着する。
又、仰向けで寝ながら読む時は頁の捲れを防止する為に両方共接着させる。
【００１４】
この発明の第２実施形態を、図１bに示す。
本を持つ手、指を通す紐９に手、指を通したり、引掛けたりする事により安定した読書をする事が出来る。
【００１５】
磁石が金属へ接着する事により出来る事を、図４aに示す。
壁面（フック）へ吊るす紐１０を中央頁の、のどを結ぶ紐穴７の上部の穴へ通し壁に取り付けたフック１１へ引掛ける。
その際ブックカバー２が収まる大きさの、壁に吊るす金属板１２へ磁石４によってブックカバー２が貼り付く。
壁に吊るす金属板１２にブックカバー２を装着する時に、固定する紐１３を壁に吊るす金属板１２に紐を通す穴１４に通してしっかりと結わえる事により壁に吊るす金属板１２にブックカバー２を落ちない様に固定する。
又、壁に吊るす金属板１２を空き缶の蓋等にすると、ブックカバー２の下部を空き缶の蓋の縁に置く（乗せる）事が出来るのでより安定する事が出来る。
【００１６】
冷蔵庫に吊るした図を図４bに示す。
冷蔵庫１５へ取り付けたフック１１に引掛けた図である。
冷蔵庫に吊るした料理のレシピ本を見ながら、濡れた手等で汚さずに本を見ながら料理をする事が出来る。
【００１７】
横臥状態で読書する様子を図５に示す。
壁際に布団を敷き、金属板にブックカバーを貼り付け、壁のフックへ吊り下げ、横臥状態で寝ながら本を読んでいる。
寒い時に手で持たずに読む事が出来る。
【００１８】
フック付きスタンド吊るした図を図６に示す。
布団で寝る以外でも、スタンドの高さを調節する事により椅子に腰掛けたり正座をしたり、又立ちながらでも書見台として使う事が出来る。
【実施例】
【００１９】
透明シートについて図１aに示す。
読書をするにあたって求める機能として、保護および保持が可能なしおりとしての機能を果たすことにより、あらゆる体勢において、寝ながらでも可能にする事が出来る。
又、仰向けの状態で本を読んでいる時、本を手で持って上に掲げて読むが、その際にしっかり本を持つ事と同時に頁を抑えていても、気を許すと重力に従い頁が閉じてしまう。
上記の心配についても、透明シートが開いた頁を左右両方しっかりと被っている為に、ブックカバーに取り付けた本自体を持つだけで頁を保持することが出来る。
【００２０】
本を持つ手、指を通す紐について図１a,bに示す。
図１a…読書をするにあたって本を読む事に集中したいので、ブックカバーに備え付けた本を持つ手、指を通す紐に５指のいずれかを通したり引掛けたりする事で、仰向けになって、本を上に掲げて読む事を可能とする。
図１b…本を手で持つ時、両手の４指に本を乗せて親指で包み込む様に本を抑える。
抑えるのは本の安定と共に頁が捲れない様にする為である、頁の捲れは透明シートによって保持されても、本を落とさない様に安定させる為にしっかりと持つ。
【００２１】
本を持つ手、指を通す紐について、図１a,bに示す。
読書中に睡魔に襲われて、手の意識も遠のき、本を落としてしまう。
仰向けで本を読んでいる時に急に睡魔に襲われると本が顔に降って来る。
それを本を持つ手、指を通す紐９に手を装着する事によって、顔の上に本が降って来る事を最小限に抑える事が出来る。
【００２２】
壁面（フック）へ吊るす紐について図４aに示す。
壁際に寝床をとれば、壁にフックを付ければ書見台として使える事について図５に示す。
壁際に寝床をとれなければ、スタンドにフックを取り付けて書見台とする事が出来る事について図６に示す。
又、立位でストレッチ体操をしながらでも読書を楽しむ事が出来る。
【産業上の利用可能性】
【００２３】
ブックカバーのサイズについて
各サイズの本に合わせて大、中、小としても良し。
又、ハードカバーであれば菊判（１５０mm×２２０mm）で作りそのブックカバーに文庫本を装着する事も出来る。
【００２４】
ブックカバーの素材について
ハード及び柔軟性のある物、どちらにおいても同様の効果を得られる。
図４の様に吊り下げる場合、布等の様な柔軟性の物に対しては表紙、裏表紙挿入カバーへ厚紙等を挿入すると良い。
【符号の説明】
【００２５】
１−本
２ーブックカバー
３−透明シート
４−磁石
５−金属板
６−表紙、裏表紙挿入カバー
７−中央頁の、のどを結ぶ紐穴
８−紐（本とブックカバーを結ぶ）
９−本を持つ手、指を通す紐
１０−壁面（フック）へ吊るす紐
１１ーフック
１２ー壁に吊るす金属板
１３−壁に吊るす金属板にブックカバーを装着する時に固定する紐
１４−壁に吊るす金属板に紐を通す穴
【図１】
2014162077.tif 000003
【図２】
2014162077.tif 000004
【図３】
2014162077.tif 000005
【図４】
2014162077.tif 000006
【図５】
2014162077.tif 000007
【図６】
2014162077.tif 000008